(57)【要約】【課題】例えば、高架橋に落下物防止柵を構築する際に、金網の取り付けが道路側から容易かつ安全に行える、落下物防止柵の構築方法を提供する。【解決手段】支柱間に胴縁５を固定し、胴縁５に金網６を取り付けることにより構築する、落下物防止柵の構築方法において、胴縁５に予めボルト７を胴縁用ナット１により固定しておき、胴縁５をボルト７のねじ部を道路側に向けて支柱間に固定し、道路側から前記ねじ部に金網６の端部を押え金具８とともに挿入し、そして、押え金具用ナット２を前記ねじ部にねじ込んで押え金具８を締め付けて、胴縁５に金網６を取り付ける。【選択図】図２
2020105769.tif 000002
【特許請求の範囲】
【請求項１】
支柱間に胴縁を固定し、前記胴縁に金網を取り付けることにより構築する、落下物防止柵の構築方法において、
前記胴縁に予めボルトを胴縁用ナットにより固定しておき、前記胴縁を前記ボルトのねじ部を道路側に向けて前記支柱間に固定し、道路側から前記ねじ部に前記金網の端部を押え金具とともに挿入し、そして、押え金具用ナットを前記ねじ部にねじ込んで前記押え金具を締め付けて、前記胴縁に前記金網を取り付けることを特徴とする、落下物防止柵の構築方法。
【請求項２】
前記胴縁は、Ｌ形鋼からなっていることを特徴とする、請求項１に記載の、落下物防止柵の構築方法。
【請求項３】
前記落下物防止柵は、高架橋に構築されることを特徴とする、請求項１または２に記載の、落下物防止柵の構築方法。
【発明の詳細な説明】
【技術分野】
【０００１】
この発明は、落下物防止柵の構築方法、特に、落下物防止柵の構築に際して、金網の取り付けが道路側から容易かつ安全に行える、落下物防止柵の構築方法に関するものである。
【背景技術】
【０００２】
例えば、高架橋に落下物防止柵を構築するには、図３、図４に示すように、高架橋３に複数本の支柱４を間隔をあけて構築し、この後、支柱４間に胴縁５を固定し、そして、図５、図６に示すように、胴縁５に金網６を取り付けることにより構築していた。
【０００３】
この際、金網６を胴縁５に取り付けるには、手を道路側から反道路側に伸ばして、ボルト７を胴縁５に形成されたボルト孔５ａに差し込み、ボルト７が抜け出ないようにボルト７を手で押さえながら、金網６の端部を押え金具８とともにボルト７に通し、ナット９を締めることによって取り付けていた。
【０００４】
上記例は、上胴縁に金網を取り付ける場合であるが下胴縁に金網を取り付ける場合も同様である。
【発明の概要】
【発明が解決しようとする課題】
【０００５】
上述した取り付け方法によって、金網６を胴縁５に取り付けることはできるが、取り付け箇所によっては、取り付け作業が円滑に行えず、取り付けに時間と手間を要していた。例えば、胴縁５の位置が高いと、ボルト７を胴縁５のボルト孔５ａに差し込みにくく、取り付けに時間と手間を要していた。
【０００６】
なお、取り付け作業を円滑に行なえるようにするには、作業員が反道路側に回ればよいが危険を伴う。また、足場を組めば取り付け作業を安全に行えるが、足場の構築に時間と手間を要する。
【０００７】
従って、この発明の目的は、例えば、高架橋に落下物防止柵を構築する際に、金網の取り付けが道路側から容易かつ安全に行える、落下物防止柵の構築方法を提供することにある。
【課題を解決するための手段】
【０００８】
この発明は、上記目的を達成するためになされたものであり、下記を特徴とするものである。
【０００９】
請求項１に記載の発明は、支柱間に胴縁を固定し、前記胴縁に金網を取り付けることにより構築する、落下物防止柵の構築方法において、前記胴縁に予めボルトを胴縁用ナットにより固定しておき、前記胴縁を前記ボルトのねじ部を道路側に向けて前記支柱間に固定し、道路側から前記ねじ部に前記金網の端部を押え金具とともに挿入し、そして、押え金具用ナットを前記ねじ部にねじ込んで前記押え金具を締め付けて、前記胴縁に前記金網を取り付けることに特徴を有するものである。
【００１０】
請求項２に記載の発明は、請求項１に記載の発明において、前記胴縁は、Ｌ形鋼からなっていることに特徴を有するものである。
【００１１】
請求項３に記載の発明は、請求項１または２に記載の発明において、前記落下物防止柵は、高架橋に構築されることに特徴を有するものである。
【発明の効果】
【００１２】
この発明によれば、胴縁に予めボルトを胴縁用ナットにより固定しておくことによって、例えば、高架橋に落下物防止柵を構築する際に、金網の取り付けが道路側から容易かつ安全に行える。
【図面の簡単な説明】
【００１３】
【図１】この発明の、落下物防止柵の構築方法によって、胴縁に予めボルトを胴縁用ナットにより固定した状態を示す部分側面図である。
【図２】この発明の、落下物防止柵の構築方法によって、胴縁に金網を取り付けた状態を示す部分側面図である。
【図３】落下物防止柵を反道路側から見た部分背面図である。
【図４】落下物防止柵を示す部分側面図である。
【図５】落下物防止柵を道路側から見た部分正面図である。
【図６】落下物防止柵を示す部分側面図である。
【発明を実施するための形態】
【００１４】
この発明の、落下物防止柵の構築方法の一実施態様を、図面を参照しながら説明する。
【００１５】
図１は、この発明の、落下物防止柵の構築方法によって、胴縁に予めボルトを胴縁用ナットにより固定した状態を示す部分側面図、図２は、この発明の、落下物防止柵の構築方法によって、胴縁に金網を取り付けた状態を示す部分側面図である。
【００１６】
この発明の特徴は、以下の通りである。
【００１７】
図３から図５に示すような落下物防止柵の構築方法において、従来は、図６に示すように、金網６を胴縁５に取り付けるには、手を道路側から反道路側に伸ばして、ボルト７を胴縁５に形成されたボルト孔５ａに差し込み、ボルト７が抜け出ないようにボルト７を手で押さえながら、金網６の端部を押え金具８とともにボルト７に通し、ナット９を締めることによって取り付けていたが、この方法では、取り付け箇所によっては、取り付け作業が円滑に行えず、取り付けに時間と手間を要していた。
【００１８】
取り付け作業を円滑に行なえるようにするには、作業員が反道路側に回ればよいが危険を伴う。また、足場を組めば取り付け作業を安全に行えるが、足場の構築に時間と手間を要する。
【００１９】
そこで、この発明では、図１に示すように、胴縁５に予めボルト７を胴縁５のボルト孔５ａに通して胴縁用ナット１により固定しておく。そして、このように予めボルト７を固定した胴縁５を、ボルト７のねじ部を道路側に向けて支柱４間に固定し（図３参照）、図２に示すように、道路側からボルト７のねじ部に金網６の端部を押え金具８とともに挿入し、次いで、押え金具用ナット２をボルト７のねじ部にねじ込んで押え金具８を締め付けて、胴縁５に金網６を取り付ける。
【００２０】
上述したように、この発明によれば、胴縁５に予めボルト７を胴縁用ナット１により固定しておくことによって、例えば、高架橋に落下物防止柵を構築する際に、金網６の取り付けが道路側から容易かつ安全に行える。
【００２１】
以上は、上胴縁に金網を取り付ける場合であるが下胴縁に金網を取り付ける場合も同様である。
【符号の説明】
【００２２】
１：胴縁用ナット
２：押え金具用ナット
３：高架橋
４：支柱
５：胴縁
５ａ：ボルト孔
６：金網
７：ボルト
８：押え金具
９：ナット
【図１】
2020105769.tif 000003
【図２】
2020105769.tif 000004
【図３】
2020105769.tif 000005
【図４】
2020105769.tif 000006
【図５】
2020105769.tif 000007
【図６】
2020105769.tif 000008